(57)【要約】【課題】溶接ワイヤ巻き金属製スプールを溶接ワイヤ送給装置に装着及び取り外す作業を手間がかからず極めて容易に行うことができるようにすること。【解決手段】一方端側が溶接ワイヤ送給装置１に固定され、電気絶縁性材料よりなり、溶接ワイヤ巻き金属製スプールを回転自在に支持するスプール支持軸２と、溶接ワイヤ送給装置１に固定され、電気絶縁性材料よりなり、溶接ワイヤ巻き金属製スプール２０’の背面側を覆う固定側フランジ板３と、スプール支持軸２の自由端に着脱可能に設けられ、電気絶縁性材料よりなり、溶接ワイヤ巻き金属製スプール２０’の前面側を覆う着脱側フランジ板５と、スプール支持軸２の自由端に対して着脱側フランジ板５をワンタッチ操作で着脱可能とする着脱手段６，９とを備えていることを特徴とする溶接ワイヤ巻き金属製スプール装着用のアダプタ。【選択図】          図４
2004181464.tif 000002
【特許請求の範囲】
【請求項１】
溶接ワイヤを金属製スプールに巻回してなる溶接ワイヤ巻き金属製スプールを、前記金属製スプールと溶接ワイヤ送給装置とが電気的に絶縁された状態で溶接ワイヤ送給装置に装着すべく溶接ワイヤ送給装置に装備される溶接ワイヤ巻き金属製スプール装着用のアダプタにおいて、
一方端側が溶接ワイヤ送給装置に固定され、電気絶縁性材料よりなり、前記溶接ワイヤ巻き金属製スプールを回転自在に支持するスプール支持軸と、溶接ワイヤ送給装置に固定され、電気絶縁性材料よりなり、前記溶接ワイヤ巻き金属製スプールの背面側を覆う固定側フランジ板と、前記スプール支持軸の自由端に着脱可能に設けられ、電気絶縁性材料よりなり、前記溶接ワイヤ巻き金属製スプールの前面側を覆う着脱側フランジ板と、前記スプール支持軸の自由端に対して前記着脱側フランジ板をワンタッチ操作で着脱可能とする着脱手段とを備えていることを特徴とする溶接ワイヤ巻き金属製スプール装着用のアダプタ。
【請求項２】
前記着脱手段は、前記着脱側フランジ板と前記スプール支持軸のうちの一方に埋設されたマグネット片と、残りの一方に埋設された磁性体片とを有した構成とされていることを特徴とする請求項１記載の溶接ワイヤ巻き金属製スプール装着用のアダプタ。
【請求項３】
前記着脱手段は、前記着脱側フランジと前記スプール支持軸のうちの一方に設けられたキャッチ用凸部材と、残りの一方に設けられ、前記キャッチ用凸部材を出没可能に嵌合保持するキャッチ用受け部材とを有した構成とされていることを特徴とする請求項１記載の溶接ワイヤ巻き金属製スプール装着用のアダプタ。
【発明の詳細な説明】
【０００１】
【発明の属する技術分野】
本発明は、溶接ワイヤ送給装置に装備され、溶接ワイヤ巻き金属製スプールを溶接ワイヤ送給装置にこれと電気的に絶縁された状態で装着するための溶接ワイヤ巻き金属製スプール装着用のアダプタに関するものである。
【０００２】
【従来の技術】
消耗電極式アーク溶接では、ワイヤ径が１．２，１．４，１．６ｍｍφ等のいわゆる細径の溶接ワイヤ（ソリッドワイヤ及びフラックス入りワイヤ）が最も広範囲に使用されている。このような溶接ワイヤを巻枠であるスプールに巻回してなる溶接ワイヤ巻きスプールを溶接ワイヤ送給装置に装着し、溶接ワイヤ送給装置のローラ駆動により溶接ワイヤ巻きスプールから溶接ワイヤを順に巻き解いて溶接トーチに送給し、溶接トーチにおいて溶接ワイヤに溶接電圧を印加してアーク溶接が行われている。
【０００３】
溶接ワイヤの巻枠であるスプールとしては、プラスチック製スプールが広く用いられているものの、近年、環境保全の観点から、リサイクル性が良好である金属製スプールが採用されるようになってきている。
【０００４】
金属製スプールを用いる場合、溶接時には、通電状態の溶接ワイヤと金属製スプールとが同電位となることから、短絡事故を防ぐために、金属製スプールと溶接ワイヤ送給装置のフレームとの間を電気的に絶縁する必要がある。
【０００５】
従来、溶接時における金属製スプールと溶接ワイヤ送給装置のフレームとの間を電気的に絶縁するためのアダプタとして、図６に示すように、既製の溶接ワイヤ送給装置のスプール支持軸（取付軸）５２の外周面に嵌められるプラスチック製のフランジ５３ａ付きのパイプ５３と、スプール支持軸５２の自由端においてフランジ付きパイプ５３に突き合わせた状態でスプール支持軸５２の外周面に嵌められるプラスチック製の自由端側フランジ５４とからなるものが提案されている（特許文献１：特開２０００−２８９９３７号公報）。
【０００６】
この従来の溶接ワイヤ巻き金属製スプール装着用のアダプタでは、溶接ワイヤを巻回してなる溶接ワイヤ巻き金属製スプール５１を装着する際には、まず、スプール抜止め用レバー５５をスライドかつ回動させて横向（水平姿勢）にしてスプール支持軸５２の軸線方向に延びる姿勢にする。次に、スプール支持軸５２外周面に嵌められたフランジ付きパイプ５３に、溶接ワイヤ巻き金属製スプール５１の軸受け部を嵌め入れる。次いで、溶接ワイヤ巻き金属製スプール５１の前面側が外方へ傾いて外れないように溶接ワイヤ巻き金属製スプール５１の前面側を手で支えた状態で、スプール支持軸５２の外周面に自由端側フランジ５４を嵌め入れる。しかる後、スプール抜止めのために、スプール抜止め用レバー５５を回動しながらスライドさせて縦向き姿勢にするようにしている。
【０００７】
【特許文献１】
特開２０００−２８９９３７号公報（第７図、第８図）
【０００８】
【発明が解決しようとする課題】
しかし前述した従来の溶接ワイヤ巻き金属製スプール装着用のアダプタでは、溶接ワイヤ巻き金属製スプール５１の装着を行う際に、溶接ワイヤ巻き金属製スプール５１の前面側が外方へ傾いて外れないように溶接ワイヤ巻き金属製スプール５１の前面側を手で支えた状態で、スプール支持軸５２の外周面に、先に嵌められているフランジ付きパイプ５３に突き合わせるようにして自由端側フランジ５４を嵌め入れるようにしたものであるから、煩わしくて手間がかかっていた。また、自由端側フランジ５４を嵌め入れた後に、さらに、スプール抜止め用レバー５５を操作する必要があり、この点においても手間を要していた。
【０００９】
また、溶接ワイヤが連続して引き出される溶接時には、溶接ワイヤ巻き金属製スプール５１とともに、フランジ付きパイプ５３及び自由端側フランジ５４とが回転するようになっている。このため、自由端側フランジ５４が外方へ移動し、スプール抜止め用レバー５５の操作をわすれて怠った場合、自由端側フランジ５４がスプール支持軸５２から外れることで、溶接ワイヤ巻き金属製スプール５１がスプール支持軸５２から抜け落ちるおそれがあった。
【００１０】
本発明はこのような事情に鑑みてなされたものであり、本発明の目的は、溶接ワイヤ送給装置に装備されるアダプタであって、溶接ワイヤ巻き金属製スプールを、金属製スプールと溶接ワイヤ送給装置とが電気的に絶縁された状態で溶接ワイヤ送給装置に装着するためのアダプタにおいて、溶接ワイヤ巻き金属製スプールを溶接ワイヤ送給装置に装着及び取り外す作業を手間がかからず極めて容易に行うことができるとともに、溶接ワイヤ巻き金属製スプールのスプール支持軸からの抜け落ちを確実に防ぐことができるようにした、溶接ワイヤ巻き金属製スプール装着用のアダプタを提供することにある。
【００１１】
【課題を解決するための手段】
前記目的を達成するために、本願発明は次のように構成されている。
【００１２】
請求項１の発明は、溶接ワイヤを金属製スプールに巻回してなる溶接ワイヤ巻き金属製スプールを、前記金属製スプールと溶接ワイヤ送給装置とが電気的に絶縁された状態で溶接ワイヤ送給装置に装着すべく溶接ワイヤ送給装置に装備される溶接ワイヤ巻き金属製スプール装着用のアダプタにおいて、一方端側が溶接ワイヤ送給装置に固定され、電気絶縁性材料よりなり、前記溶接ワイヤ巻き金属製スプールを回転自在に支持するスプール支持軸と、溶接ワイヤ送給装置に固定され、電気絶縁性材料よりなり、前記溶接ワイヤ巻き金属製スプールの背面側を覆う固定側フランジ板と、前記スプール支持軸の自由端に着脱可能に設けられ、電気絶縁性材料よりなり、前記溶接ワイヤ巻き金属製スプールの前面側を覆う着脱側フランジ板と、前記スプール支持軸の自由端に対して前記着脱側フランジ板をワンタッチ操作で着脱可能とする着脱手段とを備えていることを特徴とするものである。
【００１３】
請求項２の発明は、請求項１記載の溶接ワイヤ巻き金属製スプール装着用のアダプタにおいて、前記着脱手段は、前記着脱側フランジ板と前記スプール支持軸のうちの一方に埋設されたマグネット片と、残りの一方に埋設された磁性体片とを有した構成とされていることを特徴とするものである。
【００１４】
請求項３の発明は、請求項１記載の溶接ワイヤ巻き金属製スプール装着用のアダプタにおいて、前記着脱手段は、前記着脱側フランジと前記スプール支持軸のうちの一方に設けられたキャッチ用凸部材と、残りの一方に設けられ、前記キャッチ用凸部材を出没可能に嵌合保持するキャッチ用受け部材とを有した構成とされていることを特徴とするものである。
【００１５】
本発明による溶接ワイヤ巻き金属製スプール装着用のアダプタは、一方端側が溶接ワイヤ送給装置に固定され、電気絶縁性材料よりなり、溶接ワイヤ巻き金属製スプールを回転自在に支持するスプール支持軸と、溶接ワイヤ送給装置に固定され、電気絶縁性材料よりなり、溶接ワイヤ巻き金属製スプールの背面側を覆う固定側フランジ板と、前記スプール支持軸の自由端（開放端）に着脱可能に設けられ、電気絶縁性材料よりなり、溶接ワイヤ巻き金属製スプールの前面側を覆う着脱側フランジ板と、この着脱側フランジ板を、スプール支持軸の自由端に対してワンタッチ操作で着脱可能とする着脱手段とを備えて構成されている。
【００１６】
このようにすることで、前記スプール支持軸、固定側フランジ板及び着脱側フランジ板により、装着された金属製スプールと溶接ワイヤ送給装置との間を、確実に電気的に絶縁することができる。
【００１７】
また、前記スプール支持軸の自由端に対して前記着脱側フランジ板をワンタッチ操作で着脱可能とする着脱手段を備えているので、溶接ワイヤ巻き金属製スプールを溶接ワイヤ送給装置に装着及び取り外す作業を手間がかからず極めて容易に行うことができるとともに、溶接ワイヤ巻き金属製スプールのスプール支持軸からの抜け落ちを確実に防ぐことができる。
【００１８】
【発明の実施の形態】
以下、図面を参照して本発明の実施の形態について説明する。ここに、図１は本発明に係る金属製スプールの一例を示す正面図、図２は図１のＡ−Ａ線断面図、図３は本発明の第１実施形態による溶接ワイヤ巻き金属製スプール装着用のアダプタの構成を説明するための部分断面側面図、図４は同じく第１実施形態による溶接ワイヤ巻き金属製スプール装着用のアダプタの構成を説明するための部分断面側面図、図５は本発明の第２実施形態による溶接ワイヤ巻き金属製スプール装着用の構成を説明するための部分断面側面図である。
【００１９】
金属製スプール２０は、例えば、図１，図２に示すように、中心部にスプール支持軸挿通孔２１ａを有する一対のフランジ２１と、これらのフランジ２１間に設けられた円筒状をなす巻胴２２とからなっている。フランジ２１は、図１に示すように、中心部にスプール支持軸挿通孔２１ａを有して全体として円盤状をなしている。フランジ２１には、放射状に延びる形状でフランジ２１外方に膨出した複数本のリブ部２１ｂが形成されている。図１中、２１ｃは抜き穴、２１ｄはかしめ部であり、金属製スプール２０は、対向配置された一対のフランジ２１同士に巻胴２２をかしめ付けすることにより、組み立てられている。金属製スプール２０の材質は、例えば、薄鋼板に亜鉛めっきを施してなるものである。
【００２０】
次に、図３，図４を参照して、本発明による第１実施形態の溶接ワイヤ巻き金属製スプール装着用のアダプタについて説明する。このアダプタは、既製の溶接ワイヤ送給装置のフレーム１に、本来取り付けられていた金属製のスプール装着軸を取り外し、この金属製スプール装着軸に代えて装備するようにしたものである。
【００２１】
図３，図４において、２は円柱状をなし、溶接ワイヤＷを金属製スプール２０に巻回してなる溶接ワイヤ巻き金属製スプール２０’を回転自在に支持するためのプラスチック製のスプール支持軸である。３は中心部に段差付きスプール支持軸挿通孔を有して円盤状をなし、溶接ワイヤ巻き金属製スプール２０’の背面側を覆うプラスチック製の固定側フランジ板である。４は金属製の固定板である。この固定板４は、スプール支持軸２の外径に対応する径の円形をなす浅い凹部を有している。そして、スプール支持軸２の固定端側を、固定側フランジ板３の前記段差付きスプール支持軸挿通孔と固定板４の前記円形凹部とに差し入れ、この状態のものを溶接ワイヤ送給装置のフレーム１に位置合わせする。次いで、フレーム１の外方から図示しない複数個のボルトにより、フレーム１、固定板４及びスプール支持軸２が一体にボルト締めされるとともに、フレーム１、固定板４及び固定側フランジ板３が一体にボルト締めされている。このように、スプール支持軸２と固定側フランジ板３は、固定板４を介して溶接ワイヤ送給装置のフレーム１に固定されている。
【００２２】
また、５は円盤状をなし、スプール支持軸２の自由端（開放端）に着脱可能に設けられ、溶接ワイヤ巻き金属製スプール２０’の前面側を覆うプラスチック製の着脱側フランジ板である。
【００２３】
この円盤状の着脱側フランジ板５の裏側中心部には、円盤状のマグネット片６が埋設されている。マグネット片６は、ビス止め及び／又は接着によって着脱側フランジ板５に固定されている。着脱側フランジ板５においてスプール支持軸２の自由端面周辺部に対応する部位には、側面視で着脱側フランジ板５中心に向かうにしたがって縮径するテーパガイド面５ａが設けられている。また、着脱側フランジ板５の表側面には、Ｕ字型の取手７が取り付けられている。
【００２４】
また、前記スプール支持軸２の自由端には、磁性体片としての円盤状の鋼板片９が埋設されている。前記マグネット片６と同径寸法の鋼板片９は、スプール支持軸２にビス止め及び／又は接着によって固定されている。そして、スプール支持軸２における鋼板片９の周囲には、前記テーパガイド面５ａに対応するテーパガイド面２ａが設けられている。前記マグネット片６、鋼板片９及び取手７は、スプール支持軸２の自由端に対して着脱側フランジ板５をワンタッチ操作で着脱可能とする着脱手段を構成している。また、前記テーパガイド面２ａ，５ａは、着脱の安定性を高めるためのものである。
【００２５】
このように構成される第１実施形態のアダプタでは、溶接ワイヤ巻き金属製スプール２０’を装着する場合には、スプール支持軸２にスプール支持軸挿通孔２１ａを合わせて溶接ワイヤ巻き金属製スプール２０’を嵌め入れ、次いで、スプール支持軸２に設けられた鋼板片９に着脱側フランジ板５のマグネット片６を接近させて当接させ、マグネット片６の吸着作用によってスプール支持軸２に着脱側フランジ板５を保持させることができる。溶接ワイヤ巻き金属製スプール２０’をスプール支持軸２から取り外す場合には、取手７を握って着脱側フランジ板５を少し回動させる感じで引き離すことにより、スプール支持軸２から着脱側フランジ板５を離脱させて、溶接ワイヤ巻き金属製スプール２０’を取り外すことができる。
【００２６】
このように、スプール支持軸２、固定側フランジ板３及び着脱側フランジ板５により、装着された金属製スプール２０と溶接ワイヤ送給装置のフレーム１との間を確実に電気的に絶縁することができる。また、マグネット片６、鋼板片９及び取手７による着脱手段を備えているので、着脱側フランジ板５をスプール支持軸２にワンタッチ操作で確実に着脱できる。これにより、溶接ワイヤ巻き金属製スプール２０を溶接ワイヤ送給装置に装着及び取り外す作業を手間がかからず極めて容易に行うことができるとともに、溶接ワイヤ巻き金属製スプール２０のスプール支持軸２からの抜け落ちを確実に防ぐことができる。
【００２７】
次に、図５を参照して、本発明による第２実施形態の溶接ワイヤ巻き金属製スプール装着用のアダプタについて説明する。ここで、前記図３，図４に示す第１２実施形態のアダプタと同一又は相当部分には図３，図４と同一の符号を付して説明を省略し、異なる点について説明する。
【００２８】
図５に示すように、円盤状の着脱側フランジ板５の裏側中心部には、キャッチ用凸部材１０がネジ止めされ突設されている。また、着脱側フランジ板５の表側面には、取手８が取り付けられている。
【００２９】
また、スプール支持軸２の自由端には、キャッチ用凸部材１０を出没可能に嵌合保持するキャッチ用受け部材１１がネジ止めされ埋設されている。前記キャッチ用凸部材１０、キャッチ用受け部材１１及び取手８は、スプール支持軸２の自由端に対して着脱側フランジ板５をワンタッチ操作で着脱可能とする着脱手段を構成している。
【００３０】
このように構成される第２実施形態のアダプタでは、溶接ワイヤ巻き金属製スプール２０’を装着する場合には、スプール支持軸２にスプール支持軸挿通孔２１ａを合わせて溶接ワイヤ巻き金属製スプール２０’を嵌め入れ、次いで、スプール支持軸２に設けられたキャッチ用受け部材１１に着脱側フランジ板５のキャッチ用凸部材１０を嵌め合わせることにより、スプール支持軸２に着脱側フランジ板５を保持させることができる。溶接ワイヤ巻き金属製スプール２０’をスプール支持軸２から取り外す場合には、取手８を握って着脱側フランジ板５を引っ離すことにより、スプール支持軸２から着脱側フランジ板５を離脱させて、溶接ワイヤ巻き金属製スプール２０’を取り外すことができる。
【００３１】
このように、スプール支持軸２、固定側フランジ板３及び着脱側フランジ板５により、装着された金属製スプール２０と溶接ワイヤ送給装置のフレーム１との間を確実に電気的に絶縁することができる。また、キャッチ用凸部材１０、キャッチ用受け部材１１及び取手８による着脱手段を備えているので、着脱側フランジ板５をスプール支持軸２にワンタッチ操作で確実に着脱できる。これにより、溶接ワイヤ巻き金属製スプール２０を溶接ワイヤ送給装置に装着及び取り外す作業を手間がかからず極めて容易に行うことができるとともに、溶接ワイヤ巻き金属製スプール２０のスプール支持軸２からの抜け落ちを確実に防ぐことができる。
【００３２】
なお、前記固定側フランジ板３及び着脱側フランジ板５の外径寸法は、金属製スプール２０のフランジ外径寸法の上限値が２９０ｍｍであることから、２９０ｍｍ超え３００ｍｍの範囲が適正である。この範囲にすることで、金属製スプール２０のフランジ２１が溶接ワイヤ送給装置のフレーム１に直接に接触することを回避することができる。また、スプール支持軸２の外径寸法は、金属製スプール２０を確実に嵌め入れるようにするため、金属製スプール２０のスプール支持軸挿通孔２１ａの孔寸法値よりも０．５〜１．０ｍｍ小さい寸法値が適正である。スプール支持軸２の軸方向長さは、金属製スプール２０の軸方向長さに加えて固定側フランジ板３の肉厚分の長さも必要なことから、金属製スプール２０の軸方向長さよりも２〜５ｍｍ長い寸法値が適正である。
【００３３】
【発明の効果】
以上述べたように、溶接ワイヤ巻き金属製スプール装着用のアダプタによれば、一方端側が溶接ワイヤ送給装置に固定され、電気絶縁性材料よりなり、溶接ワイヤ巻き金属製スプールを回転自在に支持するスプール支持軸と、溶接ワイヤ送給装置に固定され、電気絶縁性材料よりなり、溶接ワイヤ巻き金属製スプールの背面側を覆う固定側フランジ板と、前記スプール支持軸の自由端に着脱可能に設けられ、電気絶縁性材料よりなり、溶接ワイヤ巻き金属製スプールの前面側を覆う着脱側フランジ板とを備えているので、装着された金属製スプールと溶接ワイヤ送給装置との間を、確実に電気的に絶縁することができる。また、前記スプール支持軸の自由端に対して前記着脱側フランジ板をワンタッチ操作で着脱可能とする着脱手段を備えているので、溶接ワイヤ巻き金属製スプールを溶接ワイヤ送給装置に装着及び取り外す作業を手間がかからず極めて容易に行うことができるとともに、溶接ワイヤ巻き金属製スプールのスプール支持軸からの抜け落ちを確実に防ぐことができる。
【図面の簡単な説明】
【図１】本発明に係る金属製スプールの一例を示す正面図である。
【図２】図１のＡ−Ａ線断面図である。
【図３】本発明の第１実施形態による溶接ワイヤ巻き金属製スプール装着用のアダプタの構成を説明するための部分断面側面図である。
【図４】同じく第１実施形態による溶接ワイヤ巻き金属製スプール装着用のアダプタの構成を説明するための部分断面側面図である。
【図５】本発明の第２実施形態による溶接ワイヤ巻き金属製スプール装着用のアダプタの構成を説明するための部分断面側面図である。
【図６】従来技術を説明するための部分断面側面図である。
【符号の説明】
１…溶接ワイヤ送給装置のフレーム  ２…スプール支持軸  ２ａ…テーパガイド面  ３…固定側フランジ板  ４…固定板  ５…着脱側フランジ板  ５ａ…テーパガイド面  ６…マグネット片  ７，８…取手  ９…鋼板片  １０…キャッチ用凸部材  １１…キャッチ用受け部材  ２０…金属製スプール  ２０’…溶接ワイヤ巻き金属製スプール  ２１…フランジ  ２１ａ…スプール支持軸挿通孔  ２１ｂ…リブ部  ２１ｃ…抜き穴  ２１ｄ…かしめ部  ２２…巻胴  Ｗ…溶接ワイヤ
【図１】
2004181464.tif 000003
【図２】
2004181464.tif 000004
【図３】
2004181464.tif 000005
【図４】
2004181464.tif 000006
【図５】
2004181464.tif 000007
【図６】
2004181464.tif 000008